(57)【特許請求の範囲】
【請求項１】
シャッタ釦が押されたことにより、撮像素子を露光するとともに、この撮像素子を介して得られた画像データを記録媒体に記録する画像データ記録手段と、前記画像データ記録手段による前記記録媒体への記録動作が開始されて完了する前の一定時間内に、前記シャッタ釦を複数回押すことによって、前記記録動作を中止させる記録動作中止手段とを備えることを特徴とする電子スチルカメラの記録動作制御装置。
【請求項２】
前記記録動作中止手段が前記撮像素子に対する露光を中止することを特徴とする請求項１に記載の記録動作制御装置。
【請求項３】
前記記録動作中止手段が前記撮像素子において生成された撮像信号の読出動作を中止することを特徴とする請求項１に記載の記録動作制御装置。
【請求項４】
前記記録動作中止手段が前記記録動作を中止したときに、中止された記録動作において記録されるはずであった画像データの撮影パラメータを、次の記録動作によって記録される画像データの撮影パラメータとして再設定する撮影パラメータ設定手段を備えることを特徴とする請求項１に記載の記録動作制御装置。
【請求項５】
シャッタ釦が押されたことにより、撮像素子を露光するとともに、この撮像素子を介して得られた画像データを記録媒体に記録する画像データ記録手段と、前記画像データ記録手段による前記記録媒体への記録動作が開始されて完了する前の一定時間内に、前記シャッタ釦と、前記シャッタ釦とは別に設けられた記録中止スイッチとの両方を操作することによって、前記記録動作を中止させる記録動作中止手段とを備えることを特徴とする電子スチルカメラの記録動作制御装置。
【請求項６】
前記記録動作中止手段が前記撮像素子に対する露光を中止することを特徴とする請求項５に記載の記録動作制御装置。
【請求項７】
前記記録動作中止手段が前記撮像素子において生成された撮像信号の読出動作を中止することを特徴とする請求項５に記載の記録動作制御装置。
【請求項８】
前記記録動作中止手段が前記記録動作を中止したときに、中止された記録動作において記録されるはずであった画像データの撮影パラメータを、次の記録動作によって記録される画像データの撮影パラメータとして再設定する撮影パラメータ設定手段を備えることを特徴とする請求項５に記載の記録動作制御装置。
【発明の詳細な説明】
【０００１】
【発明の属する技術分野】
本発明は電子スチルカメラに関し、より詳しくは、記録媒体への画像データの記録動作を制御する装置に関する。
【０００２】
【従来の技術】
従来電子スチルカメラは、銀塩カメラと同様に、シャッタ釦が半押されることによって自動焦点調節や測光が行なわれ、シャッタ釦が全押しされることにより、シャッタレリーズが行なわれて撮影が行なわれる。すなわち、シャッタ釦の半押しによって、撮影レンズが光軸方向に移動して合焦位置に定められるとともに、絞りの開度とシャッタスピードが演算され、そしてシャッタ釦の全押しによって、画像データが記録媒体に記録される。
【０００３】
【発明が解決しようとする課題】
自動焦点調節や測光を行なうためにシャッタ釦を半押ししている状態から誤って全押ししてしまった場合、撮影が行なわれるので、不要な画像データが記録媒体に記録されるだけでなく、記録動作のために一定の処理時間がかかる。このため、即座に次の撮影動作に移行することができず、シャッタチャンスを逃すおそれが生じる。一方、自動露出モードでレンズキャップを取付けたまま誤ってシャッタ釦を全押ししてしまった場合、被写体輝度が低いと見做され、露光時間が長く設定されてしまうので、このような場合にも即座に次の撮影動作に移行することはできない。
【０００４】
本発明は、例えば誤ってシャッタ釦を全押ししてしまった場合のように、不本意にシャッタレリーズを行なった場合であっても、その記録動作を速やかにキャンセルすることができる記録動作制御装置を提供することを目的としている。
【０００５】
【課題を解決するための手段】
本発明に係る第１の記録動作制御装置は、シャッタ釦が押されたことにより、撮像素子を露光するとともに、この撮像素子を介して得られた画像データを記録媒体に記録する画像データ記録手段と、画像データ記録手段による記録媒体への記録動作が完了する前に、シャッタ釦が操作されることによって、記録動作を中止させる記録動作中止手段とを備えることを特徴としている。
【０００６】
記録動作中止手段は、記録動作が開始された後、シャッタ釦が再び押されることによって記録動作が中止するように構成されていてもよい。この場合、シャッタ釦を一定時間内に複数回押すことによって、記録動作が中止することが好ましい。
【０００７】
記録動作中止手段は、撮像素子に対する露光を中止してもよく、あるいは撮像素子において生成された撮像信号の読出動作を中止してもよい。
【０００８】
記録動作制御装置は、記録動作中止手段が記録動作を中止したときに、中止された記録動作において記録されるはずであった画像データの撮影パラメータを、次の記録動作によって記録される画像データの撮影パラメータとして再設定する撮影パラメータ設定手段を備えることが好ましい。
【０００９】
本発明に係る第２の記録動作制御装置は、シャッタ釦が押されたことにより、撮像素子を露光するとともに、この撮像素子を介して得られた画像データを記録媒体に記録する画像データ記録手段と、画像データ記録手段による記録媒体への記録動作が完了する前に、シャッタ釦とは別に設けられた記録中止スイッチが操作されることによって、記録動作を中止させる記録動作中止手段とを備えることを特徴としている。
【００１０】
記録動作中止手段は、記録中止スイッチとシャッタ釦の両方を操作することによって、記録動作が中止するように構成されていてもよい。
【００１１】
記録動作中止手段は、撮像素子に対する露光を中止してもよく、あるいは撮像素子において生成された撮像信号の読出動作を中止してもよい。
【００１２】
記録動作制御装置は、記録動作中止手段が前記記録動作を中止したときに、中止された記録動作において記録されるはずであった画像データの撮影パラメータを、次の記録動作によって記録される画像データの撮影パラメータとして再設定する撮影パラメータ設定手段を備えることが好ましい。
【００１３】
【発明の実施の形態】
以下、本発明の実施形態を図面を参照して説明する。
図１は、本発明の第１の実施形態を適用した電子スチルカメラを後方から見た斜視図である。
【００１４】
この電子スチルカメラは一眼レフカメラであり、交換レンズ１１はカメラ本体９０に着脱自在に取り付けられる。カメラ本体９０の上部の中央には光学ファインダ９１が設けられ、背面９２の略中央には液晶パネル（液晶表示素子）４６が設けられている。液晶パネル４６では、記録動作によってバッファメモリ４０（図２）に格納された静止画像が表示可能である。
【００１５】
カメラ本体９０を背面９２側から見たとき、カメラ本体９０の上部の右側にはシャッタ釦９３と状態表示装置５５が設けられている。状態表示装置５５は液晶表示素子から構成され、この液晶表示素子には電子スチルカメラの種々の設定状態が文字または記号として表示される。状態表示装置５５の近傍には、記録中止スイッチ９７が設けられている。後述するように、記録中止スイッチ９７は記録動作の途中において、その記録動作を中止させるときに操作される。
【００１６】
カメラ本体９０の側面にはカードスロット９６が形成されている。カードスロット９６はＰＣカード（メモリカード、記録媒体）をカメラ本体９０内に挿入するために設けられ、カードスロット９６の内部にはＰＣカードが装着されるカードコネクタ（図示せず）が設けられている。
【００１７】
図２は電子スチルカメラの主に電気的構成を示すブロック図である。
交換レンズ１１はマウントピン１２、１３を介して、カメラ本体９０（図１）内に設けられた電気回路と電気的に接続される。交換レンズ１１のレンズ鏡筒内には、撮影光学系である前群レンズ１４と後群レンズ１５が設けられ、これらのレンズ１４、１５の間には絞り１６が配設されている。各レンズ１４、１５はレンズ制御回路１７の制御によって光軸方向に変位し、焦点調節が行なわれる。レンズ制御回路１７は、カメラ本体内に設けられたシステムコントローラ３１からマウントピン１２を介して送られてくる制御信号に従って動作する。絞り１６は、カメラ本体内に設けられた絞り駆動回路３２からマウントピン１３を介して送られてくる制御信号に従って動作し、絞り１６の開度が調節される。絞り駆動回路３２はシステムコントローラ３１によって制御される。
【００１８】
カメラ本体内において、レンズ１４、１５の光軸上には、クイックリターンミラー２１が設けられている。クイックリターンミラー２１は、図示された傾斜状態と上方へ回動した水平状態との間において回動自在である。クイックリターンミラー２１の上方にはピント板２２が設けられ、ピント板２２の上方にはペンタプリズム２３が設けられている。ペンタプリズム２３の後方にはファインダの接眼レンズ２４が配設されている。
【００１９】
クイックリターンミラー２１の後方には、シャッタ２５が設けられ、シャッタ２５の後方には赤外カットフィルタ２６と光学ローパスフィルタ２７が設けられている。光学ローパスフィルタ２７の後方にはＣＣＤ（撮像素子）３３が設けられている。すなわち、クイックリターンミラー２１、シャッタ２５、赤外カットフィルタ２６、光学ローパスフィルタ２７、ＣＣＤ３３は、レンズ１４、１５の光軸上に配置されている。
【００２０】
クイックリターンミラー２１の回転動作はミラー駆動回路３４によって駆動され、シャッタ２５の開閉動作はシャッタ駆動回路３５によって駆動される。ミラー駆動回路３４とシャッタ駆動回路３５はシステムコントローラ３１によって制御される。
【００２１】
通常、ミラー２１は傾斜状態に定められており、交換レンズ１１から取込まれた光をペンタプリズム２３側に導く。このときシャッタ２５は閉じており、ＣＣＤ３３に向かう光路を閉塞している。これに対し撮影が行なわれる時、ミラー２１はミラー駆動回路３４の制御により上方に回動せしめられ、水平状態となる。このミラー２１の回動にともない、シャッタ２５はシャッタ駆動回路３５の制御により開口せしめられ、交換レンズ１１から取込まれた光はＣＣＤ３３の受光面に照射される。すなわち、受光面にはレンズ１４、１５によって得られた画像が形成され、ＣＣＤ３３では、画像に対応した撮像信号が生成される。
【００２２】
システムコントローラ３１にはパルス信号発生回路（ＰＰＧ）３６が接続され、パルス信号発生回路３６はシステムコントローラ３１の制御によって種々のパルス信号を発生する。これらのパルス信号に基づいて、ＣＣＤ駆動回路３７とＡ／Ｄ変換器３８と画像信号処理回路３９とが駆動され、ＣＣＤ駆動回路３７によりＣＣＤ３３の動作が制御される。すなわちＣＣＤ３３から読み出された撮像信号は、Ａ／Ｄ変換器３８によってデジタル信号に変換され、画像信号処理回路３９において、所定の画像処理を施される。画像信号処理回路３９には、１つの画像に対応したデジタルの画像データを格納するために十分な容量を有するバッファメモリ４０が接続されている。
【００２３】
また画像信号処理回路３９には、モニタインターフェース４１とカードインターフェース４２とが接続されている。これらのインターフェース４１、４２はシステムコントローラ３１によって制御される。
【００２４】
モニタインターフェース４１には、液晶駆動回路４４を介してバックライト４５と液晶パネル４６が接続されている。液晶パネル４６では、前述したように、バッファメモリ４０から読み出された画像データに基づいて、液晶駆動回路４４が制御され、静止画像が表示される。カードインターフェース４２にはカードコネクタ４７が接続され、カードコネクタ４７にはＰＣカード４３が装着可能である。
【００２５】
システムコントローラ３１には、ＡＦセンサ５１と測光センサ５２が接続されている。ＡＦセンサ５１は従来公知の構成を有し、ＡＦセンサ５１によって、レンズ１４、１５の焦点調節状態が測定される。測光センサ５２によって、露光時の絞り１６の開度とＣＣＤ３３における電荷蓄積時間（露光時間）とを決定するための測光が行なわれる。
【００２６】
またシステムコントローラ３１には、測光スイッチ５３とレリーズスイッチ５４と状態表示装置５５が接続されている。測光スイッチ５３はシャッタ釦９３を半押しすることによってオン状態となり、これにより、測光センサ５２によって測光が行なわれる。レリーズスイッチ５４はシャッタ釦９３を全押しすることによってオン状態となり、これにより、シャッタ２５が開閉駆動される。すなわちＣＣＤ３３が露光され、ＣＣＤ３３には画像に対応した撮像信号が発生する。
【００２７】
さらにシステムコントローラ３１には、記録中止スイッチ９７が接続されている。
【００２８】
図３は、本実施形態における記録動作制御ルーチンのフローチャートである。記録動作制御ルーチンは、システムコントローラ３１において実行され、カメラのメインスイッチ（電源スイッチ）がオン状態に定められたときに起動する。
【００２９】
ステップ１０１では、測光スイッチ５３がオン状態に切換えられたか否かが判定される。測光スイッチ５３がオン状態に定められると、ステップ１０２において、測光および露出演算が行なわれる。すなわち、測光センサ５２によって得られた測光データに基づいて、絞り１６の開度とＣＣＤ３３に対する露光時間（シャッタスピード）が決定される。また同時に、レンズ１４、１５が光軸方向に移動せしめられ、焦点調節が行なわれる。ステップ１０３では、レリーズスイッチ５４がオン状態であるか否かが判定される。レリーズスイッチ５４がオン状態でないとき、ステップ１０１へ戻り、上述した動作が繰り返されるが、レリーズスイッチ５４がオン状態に切換えられると、ステップ１０４へ進む。
【００３０】
ステップ１０４では露光が開始され、ＣＣＤ３３が露光される。すなわち、クイックリターンミラー２１が水平状態に回動せしめられるとともに、シャッタ２５が開放され、露光が開始される。ステップ１０５では、記録中止スイッチ９７が押されてオン状態に定められたか否かが判定される。記録中止スイッチ９７が押されていないとき、ステップ１０６が実行され、露光が終了したか否かが判定される。すなわち、ステップ１０２において決定された露光時間が経過したか否かが判定され、ステップ１０５へ戻る。
【００３１】
ステップ１０５、１０６が繰り返し実行される間に、記録中止スイッチ９７が押されると、ステップ１０７へ進み、記録動作の中止処理が行なわれる。すなわち、クイックリターンミラー２１が傾斜状態に回動せしめられるとともに、シャッタ２５が閉塞され、ＣＣＤ３３に対する露光が中止される。次いでステップ１０８では、ステップ１０７において中止された記録動作によってＰＣカード４３に記録されるはずであった画像データのコマ番号等の現在の撮影パラメータが、次の記録動作によって記録される画像データの撮影パラメータとして再設定される。そしてこの記録動作制御ルーチンは終了する。
【００３２】
一方、ステップ１０６において露光が終了したと判定されると、ステップ１１１が実行される。ステップ１１１では、まず、クイックリターンミラー２１が傾斜状態に回動せしめられるとともに、シャッタ２５が閉塞され、ＣＣＤ３３に対する露光が終了する。そして、ＣＣＤ３３から撮像信号が読み出され、Ａ／Ｄ変換器３８においてデジタル信号に変換された後、画像信号処理回路３９において、所定の画像処理を施され、バッファメモリ４０への格納が開始される。ステップ１１２では、記録中止スイッチ９７がオン状態に定められたか否かが判定される。記録中止スイッチ９７が押されていない間は、ステップ１１３において、ＣＣＤ３３から全画素の撮像信号が読み出されたか否かが判定され、ステップ１１２へ戻る。
【００３３】
ステップ１１２、１１３が繰り返し実行される間に、記録中止スイッチ９７が押されると、ステップ１１４へ進み、撮像信号の読出動作の中止処理が行なわれる。次いでステップ１０８へ進み、上述した処理が実行されて記録動作制御ルーチンは終了する。
【００３４】
ステップ１１３において、ＣＣＤ３３から全画素の撮像信号が読み出されたと判定されると、ステップ１１５が実行され、バッファメモリ４０から画像データが読み出され、この画像データに基づいて、液晶パネル４６において静止画像が表示される。ステップ１１６では、ＰＣカード４３への画像データの記録動作が開始される。ステップ１１７では、記録中止スイッチ９７がオン状態に定められたか否かが判定される。記録中止スイッチ９７が押されていない間は、ステップ１１８において、ＰＣカード４３の記録動作が完了したか否かが判定され、ステップ１１７へ戻る。
【００３５】
ステップ１１７、１１８が繰り返し実行される間に、記録中止スイッチ９７が押されると、ステップ１１９へ進み、ＰＣカード４３の記録動作の中止処理が行なわれる。次いでステップ１０８へ進み、上述した処理が実行されて記録動作制御ルーチンは終了する。
【００３６】
ステップ１２０においてＰＣカード４３の記録動作が完了したと判定されると、ステップ１２０へ進み、次の記録動作によって記録される画像データのコマ番号等の現在の撮影パラメータが設定され、この記録動作制御ルーチンは終了する。
【００３７】
以上のように本実施形態では、シャッタ釦９３を半押ししている状態から誤って全押ししてしまった場合、あるいはレンズキャップを装着したままシャッタ釦９３を全押ししてしまった場合、記録中止スイッチ９７を押すことにより、画像データのＰＣカード４３への記録動作の完了前に、記録動作を中止することができる。すなわち、露光時間の経過前であれば、ステップ１０７において露光が中止され、ＣＣＤ３３からの撮像信号の読出動作の途中であれば、ステップ１１４において撮像信号の読出動作が中止され、ＰＣカード４３への記録動作の途中であれば、ステップ１１９において記録動作が中止される。したがって、不要な画像データがＰＣカード４３に記録されることはなく、即座に次の記録動作に移行することができるので、シャッタチャンスを逃すおそれはない。
【００３８】
図５は、第２の実施形態における記録動作制御ルーチンの要部のフローチャートである。本実施形態は、測光スイッチ５３すなわちシャッタ釦９３が記録中止スイッチとして機能するように構成されている。本実施形態において、その他の構成は第１の実施形態と同様である。
【００３９】
ステップ２１１〜２１７は、図３および図４におけるステップ１０５、１１２、１１７に置き換えることができ、符号Ａはステップ２１１の直前に処理されるステップを示している。符号Ｂは、ステップ２１１において記録中止スイッチがオフ状態であるとき、またステップ２１４および２１６においてタイムオーバーであると判定されたときに実行されるステップを示し、ステップ２１１〜２１７を例えば図３のステップ１０５に置き換えた場合、ステップ１０６である。符号Ｃは、ステップ２１７において測光スイッチ５３がオン状態であると判定されたときに実行されるステップを示し、図３のステップ１０５の場合では、ステップ１０７である。
【００４０】
ステップ２１１では、記録中止スイッチがオン状態に切換えられたか否かが判定される。記録中止スイッチがオフ状態であるとき、符号Ｂのステップへ進み、記録中止スイッチがオン状態であるとき、ステップ２１２へ進む。ステップ２１２では、タイマが一定値（例えば０．２秒）にセットされる。
【００４１】
ステップ２１３ではタイマによる計時が開始される。ステップ２１４では、タイムオーバーか否か、すなわちステップ２１２においてセットされた一定値に達したか否かが判定される。タイムオーバーになっていない場合、ステップ２１５へ進み、測光スイッチ５３がオフ状態であるか否かが判定される。測光スイッチ５３がオン状態であるとき、ステップ２１４へ戻る。ステップ２１４、２１５が繰り返し実行される間にタイムオーバーになると、記録中止スイッチが操作されなかったと見做され、符号Ｂのステップへ移行する。
【００４２】
ステップ２１６、２１７の処理内容は基本的にステップ２１４、２１５と同じであるが、ステップ２１７において測光スイッチ５３がオン状態であると判定されると、記録中止スイッチが操作されたと見做され、記録動作を中止すべく、符号Ｃのステップへ移行する。
【００４３】
以上のように本実施形態では、記録動作中に、測光スイッチ５３すなわちシャッタ釦９３が、コンピュータにおいてマウスをダブルクリックするように、一定時間の間に２回押されることによって、その記録動作が中止される。したがって、本実施形態によっても第１の実施形態と同様な効果が得られる。
【００４４】
図６は、第３の実施形態における記録動作制御ルーチンの要部のフローチャートである。本実施形態は、記録中止スイッチ９７とシャッタ釦９３の両方を操作することによって記録動作が中止するようにに構成されている。本実施形態において、その他の構成は第１の実施形態と同様である。
【００４５】
ステップ３１１〜３１５は、図３および図４におけるステップ１０５、１１２、１１７に置き換えることができ、符号Ａはステップ３１１の直前に処理されるステップを示している。符号Ｂは、ステップ３１１において記録中止スイッチがオフ状態であるとき、またステップ３１４においてタイムオーバーであると判定されたときに実行されるステップを示し、ステップ３１１〜３１５を例えば図３のステップ１０５に置き換えた場合、ステップ１０６である。符号Ｃは、ステップ３１５においてレリーズスイッチ５４（測光スイッチ５３）がオン状態であると判定されたときに実行されるステップを示し、図３のステップ１０５の場合では、ステップ１０７である。
【００４６】
ステップ３１１では、記録中止スイッチ９７がオン状態に切換えられたか否かが判定される。記録中止スイッチ９７がオフ状態であるとき、符号Ｂのステップへ進み、記録中止スイッチ９７がオン状態であるとき、ステップ３１２へ進む。ステップ３１２では、タイマが一定値（例えば５秒）にセットされる。
【００４７】
ステップ３１３ではタイマによる計時が開始される。ステップ３１４では、タイムオーバーか否か、すなわちステップ３１２においてセットされた一定値に達したか否かが判定される。タイムオーバーになっていない場合、ステップ３１５へ進み、レリーズスイッチ５４（または測光スイッチ５３）がオン状態であるか否かが判定される。レリーズスイッチ５４（または測光スイッチ５３）がオフ状態であるとき、ステップ３１４へ戻る。ステップ３１４、３１５が繰り返し実行される間にタイムオーバーになると、記録中止スイッチが操作されなかったと見做され、符号Ｂのステップへ移行する。
【００４８】
ステップ３１４、３１５の実行の間にレリーズスイッチ５４（または測光スイッチ５３）がオン状態に切換えられたと判定されると、記録動作を中止すべく、符号Ｃのステップへ移行する。
【００４９】
以上のように本実施形態では、記録中止スイッチ９７とシャッタ釦９３が一定時間の間に押されることによって、記録動作が中止される。したがって、本実施形態によっても第１の実施形態と同様な効果が得られる。
【００５０】
【発明の効果】
以上のように本発明によれば、例えば誤ってシャッタ釦を全押ししてしまった場合のように、不本意にシャッタレリーズを行なった場合であっても、その記録動作を速やかにキャンセルすることができ、新たに撮影動作に移行できるので、シャッタチャンスを逃すことが防止される。
【図面の簡単な説明】
【図１】本発明の一実施形態である記録動作制御装置を備えた電子スチルカメラを後方から見た斜視図である。
【図２】電子スチルカメラの主に電気的構成を示すブロック図である。
【図３】第１の実施形態における記録動作制御ルーチンのフローチャートの前半部分である。
【図４】図３に示す記録動作制御ルーチンのフローチャートの後半部分である。
【図５】第２の実施形態における記録動作制御ルーチンの要部のフローチャートである。
【図６】第３の実施形態における記録動作制御ルーチンの要部のフローチャートである。
【符号の説明】
４３  ＰＣカード（記録媒体）
９３  シャッタ釦
９７  記録中止スイッチ
【図１】
0004299410.tif 000002
【図２】
0004299410.tif 000003
【図３】
0004299410.tif 000004
【図４】
0004299410.tif 000005
【図５】
0004299410.tif 000006
【図６】
0004299410.tif 000007